(57)【要約】【課題】  培養検査は１件あたりのサンプル数が多い。スクリューキャプが培養管と別々の為、キャップ着脱の煩わしさや培養期間中のキャップ保存や紛失等の使い勝ってが悪い。【解決手段】  培養管本体の上部に培養管頚部２を設け更にその上部に上面が斜めになっている斜円柱で、その側面外側全周にアンダーカットをし、部分的に２段アンダーカットを設けた培養管口筒を配した培養管本体と、連結板及びヒンジを介して自在に開閉できるように連結されたキャップ本体と、キャップ本体に設けられたインナーリングとキャップ側壁上部の突起リングより構成する。これにより、培養中でもキャップを取外す必要がないヒンジキャップ一体型培養管を提供できるとともに、射出成形で一体化成形することにより製造コストを低減できる。【選択図】図１
2008302974.tif 000002
【特許請求の範囲】
【請求項１】
上部にリング状の培養管頚部を設け、その上部に上面が斜めになっている斜円柱状でその側面外側全周にアンダーカットを設け且つ部分的に２段アンダーカットを設けた培養管口筒を配した培養管本体と、連結板及びヒンジを介して自在に開閉できるように連結されたキャップ本体と、キャップ本体に設けられたインナーリングとキャップ側壁上部の突起リングにより構成され、射出成形で一体化成形ができるヒンジキャップ一体型培養管。
【発明の詳細な説明】
【技術分野】
【０００１】    本発明は、大腸菌群検査や大腸菌検査を発酵管法等で検査するときに使用される培養管で、培養管とその頭部に培養管と連続相のヒンジキャップの付いたヒンジキャップ一体型培養管に関する。
【背景技術】
【０００２】    プラスチック樹脂を材料にして成形された培養管が多くの分野で利用されている。この場合、培養管は別々の部品であるスクリューキャップとの組合せで使用されている。
【発明の開示】
【発明が解決しようとする課題】
【０００３】  上記検査は一検体で、数種の希釈サンプルと同一サンプルで数個を同時に試験する為、一検体当たりのサンプル個数が多い。スクリューキャップが培養管と別々である為、スクリューキャップの培養管への着脱の煩わしさや培養期間中の保存場所確保及び紛失等の使い勝手の悪さがある。【０００４】  スクリューキャップを培養管から着脱する時、指が培養管本体頭部やチューブ管培養器頚部に触れ易く、指に付いている菌で該部が汚染されやすい。【０００５】  本発明は斯かる点に鑑みて提供されるものであって、培養管とその頭部に容器と一体物のヒンジキャップで培養管の密閉状態と培養中の通気状態を選択保持できるヒンジキャップ一体型培養管を通常の射出成形法で成形する方法を提供することにある。
【問題を解決する手段】
【０００６】  上記課題を解決するための本発明の手段は、上部にリング状の培養管頚部を設けその上部に上面が斜めになっている斜円柱状で、側面外側を１段と２段のアンダーカットを使いわけして施した培養管口筒を配した培養管本体と、連結板及びヒンジを介して自在に開閉できるように連結されたキャップ本体と、キャップ本体に設けられたインナーリングとキャップ側壁上部の突起リングにより構成される。
培養管口筒内側とインナーリング外側面でキャップの密封状態を保持し、培養管口筒外面の１段目又は２段目のアンダーカット部とキャップ側壁頂部の突起リングの組合せにより、キャプ本体と培養管本体を密封状態又は培養時の通気状態に保持する機構を持つヒンジキャップ一体型培養管を、射出形する金型内で一体化成形できることを特徴とする。
【０００７】  ヒンジキャップ一体型培養管は片手で開閉することが可能となるが、指が培養管本体頭部や培養管頚部に触れ易くなる。キャップ本体に爪と顎を設けることにより、指と培養管本体の頭部や培養管頚部に触れることを防ぎ、指に付いている菌の該部への汚染を防止できる
【発明の効果】
【０００８】  本発明のヒンジキャップ一体型培養管は、射出成形用金型を用いてヒンジキャップと培養管を一体化成形することにより、使いかってがよく生産が簡単で製造コストの安価な培養管を提供できる。
【０００９】  また、指に付いている菌で培養管本体頭部や培養管頚部を汚染することなく、片手によるヒンジキャップ一体型培養管のキャップの開閉操作を可能にできる。
【発明を実施するための最良の形態】
【００１０】  本発明を図面を用いて説明する。図１は本発明によるヒンジキャップ一体型培養管の断面図であり、図２はその平面図である。培養管本体１の上部に培養管頚部２を設けその上に培養管口頭６が設けられている。培養管口頭６は上面が斜めになっている斜円柱状で、その外側面の全周に培養管口頭１段目アンダーカット７を設け、部分的に更に２段目アンダーカット８を設けた部分より構成する。１段目と２段目の両方を設ける培養管口頭６の範囲Ｃは培養管口頭６上面の斜め度により決定される。
キャップ本体３にはインナーリング１１が設けられ且つキャップ本体３の側壁９の内側頂部には突起リング１０が施されている。ヒンジ４と連結板５Ａと５Ｂによりキャップ本体３は培養管本体１に結合される。
又、キャップ本体３のヒンジ取付けの反対側に爪１６を設けて開閉を容易にし、顎１７を設けて開閉時に指が培養管本体１の頂部や培養管頚部２に触れて，該部が指に付着している菌で汚染されるのを防止している。【００１１】  図３はヒンジ４と連結板５Ａと５Ｂ周りの説明図である。中央にヒンジ４を設け、その両側にヒンジ４と一体物の連結板５Ａと５Ｂを設けている。ヒンジ４と連結板５Ａと５Ｂには他の組合せもあるが、用途によって他の組合せを使用することもできる。【００１２】  図４ヒンジキャップ一体型培養管を密封状態にした時の説明図である。培養管口筒６内側とインナーリング１１の外側面により培養管本体１とキャプ本体３の密封状態を保持し、培養管口筒６の外面の１段目アンダーカット７とキャップ本体３の側壁頂部の突起リング１０により培養管本体１とキャプ本体３との系止状態を保持する。【００１３】  図５ヒンジキャップ一体型培養器を培養時の通気状態にした時の説明図である。培養管口筒６の内側とインナーリング１１の外側面の間に隙間が生じ、密封状態でなく通気可能状態になる。隙間の選定で培養管が不慮の転倒をしたときに、内溶液の濾漏を少なくすることもできる。  培養管口筒６の外面の２段目アンダーカット８とキャップ本体３の側壁頂部の突起リング１０により、培養管本体１とキャプ本体３との系止状態を保持する。【００１４】  本発明に使用される樹脂は、成形時に狭いヒンジ４及び連結板５Ａと５Ｂを通して樹脂を全体に流す必要があることとヒンジ機能を持たせること及び透明性が必要であることから、透明性があり且つ流動特性が優れ更に適度な硬度を持つポリオレフイン系樹脂が好ましい。
【図面の簡単な説明】
【００１５】
【図１】  ヒンジキャップ一体型培養管の断面図
【図２】  ヒンジキャップ一体型培養管の平面図
【図３】  ヒンジと連結板周りの説明図
【図４】  ヒンジキャップ一体型培養管を密封状態にした時の断面図
【図５】  ヒンジキャップ一体型培養管を通気状態にした時の断面図
【符号の説明】
【００１６】１    培養管本体
２    培養管頚部
３    キャップ本体
４    ヒンジ
５Ａ  連結板Ａ
５Ｂ  連結板Ｂ
６    培養管口筒
７    培養管口筒１段目アンダーカット
８    培養管口筒２段目アンダーカット
９    キャップ側壁
１０  キャップ側壁の突起リング
１１  インナーリング
１６  爪
１７  顎
Ｃ    ２段目アンダーカットの範囲
【図１】
2008302974.tif 000003
【図２】
2008302974.tif 000004
【図３】
2008302974.tif 000005
【図４】
2008302974.tif 000006
【図５】
2008302974.tif 000007